(57)【特許請求の範囲】
【請求項１】
坏土を供給する坏土供給部と口金部との間に支持板に金属メッシュからなるスクリーンを保持させてなる異物除去部を有するセラミックハニカム押出成形機における異物除去管理システムにおいて、前記金属メッシュとして、４２０メッシュ、１６０メッシュ、４２０メッシュの順に３層の金属メッシュ、または、７４メッシュ、４２０メッシュ、４２０メッシュの順に３層の金属メッシュ、または、４２０メッシュ、１６０メッシュ、４２０メッシュの順に３層の金属メッシュを用い、異物除去部の前後にそれぞれ圧力測定装置を設置し、２つの圧力測定装置で測定した坏土圧力の差異の変動に基づき、異物除去部の更新時期を判断するにあたり、前記坏土圧力の差異の変動を示す、
（Ｐ１２−Ｐ２２）／（Ｐ１１−Ｐ２１）
の値が２．０以上あるいは１．０未満のいずれか一方の条件を満足した場合に、異物除去部を更新することを特徴とするセラミックハニカム押出成形機における異物除去管理システム：
ここで、Ｐ１１：異物除去部に対して坏土供給側の操業開始時の圧力、
Ｐ１２：異物除去部に対して坏土供給側の更新時期判断時の圧力、
Ｐ２１：異物除去部に対して坏土排出側の操業開始時の圧力、
Ｐ２２：異物除去部に対して坏土排出側の更新時期判断時の圧力である。
【発明の詳細な説明】
【０００１】
【発明の属する技術分野】
本発明は、坏土を供給する坏土供給部と口金部との間に支持板にスクリーンを保持させてなる異物除去部を有するセラミックハニカム押出成形機において、異物除去部の更新時期を管理する異物除去管理システムに関するものである。
【０００２】
【従来の技術】
図２は従来のセラミックハニカム押出成形機の一例の構成を示す概念図である。図２に示す例において、セラミックハニカム押出成形機５１は、セラミックスの坏土を供給する坏土供給部としての成形機本体５２と、坏土をハニカム構造の成形体に押し出すために設けられた、成形機本体５２の先端部に設けた口金部５４と、成形機本体５２と口金部５４との間に設けられた坏土中の異物を除去するための異物除去部５３から構成されている。ここで、成形機本体５２、口金部５４、異物除去部５３と表現しているのは、設備の大きさでそれぞれが脱着可能な構成で組み込まれたり、それぞれ独立させて、それを組み立てた設備構成にしたものもあるからである。基本的には坏土供給部＋異物除去部+口金部の順構成になっているセラミックハニカム押出成形機に関するものである。
【０００３】
異物除去部５３は通常金属メッシュからなるスクリーンとスクリーンを支持する支持板から構成されており、この異物除去部５３を坏土が通過することで、金属メッシュの目開き以上の大きさの異物を除去し、異物を含んだ坏土を坏土排出側言い換えると口金５４へ供給しないようにしている。そのため操業が続くと堆積する異物が増加して、堆積した異物が、坏土が異物除去部５３を通過する際の障害となっていた。それを防止するために、図２に示すように、異物除去部５３に対して坏土供給側に圧力計５５を設け、この圧力計５５において操業開始時からの圧力変化を観察し、圧力上昇が一定値以上になったときに異物除去部５３の更新時期だと判断して、異物除去部５３の交換を行っていた。
【０００４】
【発明が解決しようとする課題】
上述した従来のセラミックハニカム押出成形機５１のように、圧力計５５で測定した圧力上昇のみにより異物の堆積を推測して異物除去部５３の更新時期を求めると、圧力上昇は異物の堆積以外に坏土の硬さが硬くなった、使用する口金５４のスリット巾（押出製品のリブ厚に対応する）が狭くなった、押し出し製品形状が小さくなった等々によっても生じるため、異物除去部５３の正確な更新時期を求めることができない問題があった。
【０００５】
本発明の目的は上述した課題を解消して、正確に異物除去部の更新時期を判断することのできるセラミックハニカム押出成形機における異物除去管理システムを提供しようとするものである。
【０００６】
【課題を解決するための手段】
本発明のセラミックハニカム押出成形機における異物除去管理システムは、坏土を供給する坏土供給部と口金部との間に支持板に金属メッシュからなるスクリーンを保持させてなる異物除去部を有するセラミックハニカム押出成形機における異物除去管理システムにおいて、前記金属メッシュとして、４２０メッシュ、１６０メッシュ、４２０メッシュの順に３層の金属メッシュ、または、７４メッシュ、４２０メッシュ、４２０メッシュの順に３層の金属メッシュ、または、４２０メッシュ、１６０メッシュ、４２０メッシュの順に３層の金属メッシュを用い、異物除去部の前後にそれぞれ圧力測定装置を設置し、２つの圧力測定装置で測定した坏土圧力の差異の変動に基づき、異物除去部の更新時期を判断するにあたり、前記坏土圧力の差異の変動を示す、
（Ｐ１２−Ｐ２２）／（Ｐ１１−Ｐ２１）
の値が２．０以上あるいは１．０未満のいずれか一方の条件を満足した場合に、異物除去部を更新することを特徴とする：
ここで、Ｐ１１：異物除去部に対して坏土供給側の操業開始時の圧力、
Ｐ１２：異物除去部に対して坏土供給側の更新時期判断時の圧力、
Ｐ２１：異物除去部に対して坏土排出側の操業開始時の圧力、
Ｐ２２：異物除去部に対して坏土排出側の更新時期判断時の圧力である、
ものである。
【０００７】
本発明では、異物除去部の前後にそれぞれ圧力測定装置を設置し、２つの圧力測定装置で測定した坏土圧力の差異の変動に基づき、異物除去部の更新時期を判断することで、坏土圧力の変化に影響を及ぼす坏土の硬さ、使用する口金、押し出し製品形状等の作用を排除した状態で、異物の堆積状況のみを確認することができるため、正確に異物除去部の更新時期を判断することができる。
【０００９】
【発明の実施の形態】
図１は本発明の異物除去部の管理システムを備えるセラミックハニカム押出成形機の一例の構成を示す図である。図１に示す例において、セラミックハニカム押出成形機１は、セラミックスの坏土を供給する坏土供給部としての成形機本体２と、坏土をハニカム構造の成形体に押し出すために設けられた、成形機本体２の先端部に設けた口金部４と、成形機本体２と口金部４との間に設けられた坏土中の異物を除去するための異物除去部３とから構成されている。異物除去部３は通常金属メッシュからなるスクリーンとスクリーンを支持する支持板（この支持板は金属製で、多数の孔があいている）から構成されており、この異物除去部３を坏土が通過することで、金属メッシュの目開き以上の大きさの異物を除去し、異物を含んだ坏土を坏土排出側言い換えると口金部４へ供給しないようにしている。以上の構成は従来のセラミックハニカム押出成形機の構成と同じである。
【００１０】
本発明の特徴は、異物除去部３の前後に、言い換えると、異物除去部３に対して坏土供給側と坏土排出側に、それぞれ圧力測定装置５−１、５−２を設けた点である。そして、２つの圧力測定装置５−１、５−２で測定した坏土圧力の差異の変動に基づき、制御装置６において異物除去部３の更新時期を判断している。すなわち、制御装置６において、操業開始時における圧力測定装置５−１、５−２の初期圧力差と、更新判断時における圧力測定装置５−１、５−２の判断時圧力差とを比較し、判断時圧力差が初期圧力差から一定値以上増加した場合に、異物除去部３の更新時期と判断している。なお、圧力測定装置５−１、５−２としては従来から公知の圧力センサを用いることができ、一例として（株）キーエンスのデジタル圧力センサ（ＡＰ−８０Ａ）を使用することができる。
【００１１】
更新時期判断の具体的な一例として、Ｐ１１：異物除去部３に対して坏土供給側の操業開始時の圧力、Ｐ１２：異物除去部３に対して坏土供給側の更新時期判断時の圧力、Ｐ２１：異物除去部３に対して坏土排出側の操業開始時の圧力、Ｐ２２：異物除去部３に対して坏土排出側の更新時期判断時の圧力としたとき、坏土圧力の差異の変動を示す、（Ｐ１２−Ｐ２２）／（Ｐ１１−Ｐ２１）の値が２．０以上、あるいは１．０未満になったときに異物除去部３を更新するよう構成する。操業すると、Ｐ１２の圧力は操業開始時の圧力Ｐ１１に比べて徐々に高くなることを意味する。なぜならば、異物除去部での異物あるいは硬土の詰りによる坏土通過断面積が減少するからである。逆にＰ２２は口金の磨耗によってＰ２１より低下する。よってＰ１２はＰ１１より相対的により高い圧力になる。これは坏土の摩擦抵抗を大きくして,押出製品の温度を高くしたり、スクリーンの負荷荷重を増してスクリーンを破損させやすくなることを意味する。従って上限値は２．０とした。反対に１．０未満はスクリーンが破損あるいはスクリーンの目開きが広くなったことを意味し、異物の除去ができなくなる。よって２．０以上、１．０未満とした。
【００１２】
実際の操業の一例として、異物除去部３として、４２０メッシュ、１６０メッシュ、４２０メッシュの順に３層の金属メッシュからスクリーンを構成したものを使用して、リブ厚が４ミルのセラミックハニカム構造体を押出成形すると、操業開始時の圧力差（Ｐ１１−Ｐ２１）は４〜６ＭＰａであり、判断時の圧力差（Ｐ１２−Ｐ２２）が８〜１２ＭＰａとなったときに、異物除去部３の更新時期だと判断する。また、異物除去部３として、７４メッシュ、４２０メッシュ、４２０メッシュの順に３層の金属メッシュからスクリーンを構成したものを使用して、リブ厚が２ミルのセラミックハニカム構造体を押出成形すると、操業開始時の圧力差（Ｐ１１−Ｐ２１）は６〜８ＭＰａであり、判断時の圧力差（Ｐ１１−Ｐ２１）が１２〜１６ＭＰａなったときに、異物除去部３の更新時期だと判断する。また、異物除去部３として、４２０メッシュ、１６０メッシュ、４２０メッシュの順に３層の金属メッシュからスクリーンを構成したものを使用して、リブ厚が４ミルのセラミックハニカム構造体を押出成形すると、操業開始時の圧力差（Ｐ１１−Ｐ２１）が４〜６ＭＰａであり、判断時の圧力差（Ｐ１２−Ｐ２２）が３．５〜５．５ＭＰａとなったとき（即ち、（Ｐ１１−Ｐ２１）／（Ｐ１２−Ｐ２２）が１．０未満になったとき）は、異物除去部スクリーンが破損したと判断して、更新する。
【００１３】
【発明の効果】
以上の説明から明らかなように、本発明によれば、異物除去部の前後にそれぞれ圧力測定装置を設置し、２つの圧力測定装置で測定した坏土圧力の差異の変動に基づき、異物除去部の更新時期を判断しているため、坏土圧力の変化に影響を及ぼす坏土の硬さ、使用する口金、押し出し製品形状等の作用を排除した状態で、異物の堆積状況のみを確認することができ、その結果正確に異物除去部の更新時期を判断することができる。
【図面の簡単な説明】
【図１】本発明の異物除去部の管理システムを備えるセラミックハニカム押出成形機の一例の構成を示す図である。
【図２】従来のセラミックハニカム押出成形機の一例の構成を示す図である。
【符号の説明】
１  セラミックハニカム押出成形機、２  成形機本体、３  異物除去部、４  口金部、５−１、５−２  圧力測定装置、６  制御装置
【図１】
0004879401.tif 000002
【図２】
0004879401.tif 000003